(57)【要約】      （修正有）【課題】紙葉類の種類や搬送状態にかかわらず、搬送部の搬送路の幅方向に沿って設けられた複数の透光センサにより紙葉類の検出を適切に行うことができ、繰出部による紙葉類の繰り出しを停止させるタイミングを適正なものとすることができる紙葉類繰出機構および紙葉類繰出方法を提供する。【解決手段】複数の透光センサのうち少なくとも一部の透光センサが遮光状態となった後、所定の検出時間に係る期間内において全ての透光センサが一度は透光状態になるか否かを検出し、当該期間内において全ての透光センサが一度は透光状態になる場合には繰出部による紙葉類の繰り出しを停止させる。【選択図】図６
2013191083.tif 000002
【特許請求の範囲】
【請求項１】
紙葉類の繰り出しを行う紙葉類繰出機構において、
集積された複数の紙葉類のうち１枚の紙葉類を繰り出す繰出部と、
前記繰出部から繰り出された紙葉類を搬送路に沿って搬送する搬送部と、
前記搬送部の搬送路の幅方向に沿って複数設けられた透光センサであって、紙葉類が通過すると透光状態から遮光状態になる透光センサと、
前記繰出部の制御を行う制御部であって、前記複数の透光センサのうち少なくとも一部の透光センサが遮光状態となった後、所定の検出時間に係る期間内において全ての透光センサが一度は透光状態になるか否かを検出し、当該期間内において全ての透光センサが一度は透光状態になる場合には前記繰出部による紙葉類の繰り出しを停止させる制御部と、
を備えた、紙葉類繰出機構。
【請求項２】
前記紙葉類繰出機構は、透明部分または半透明部分が形成されていない第１の種類の紙葉類、および透明部分または半透明部分がその一部に形成されている第２の種類の紙葉類の繰り出しを行う、請求項１に記載の紙葉類繰出機構。
【請求項３】
マスキングモードを適用するか否かの設定を行う設定部を更に備え、
前記制御部は、前記設定部により前記マスキングモードを適用することが設定されたときには、複数の透光センサのうち少なくとも一部の透光センサが遮光状態となった後、所定のマスキング時間が経過するまでは、所定の検出時間に係る期間内において全ての透光センサが一度は透光状態になる場合でも、前記繰出部による紙葉類の繰り出しを停止させない、請求項１に記載の紙葉類繰出機構。
【請求項４】
前記マスキング時間は、前記紙葉類繰出機構により繰り出されるべき紙葉類における繰出方向の長さを、前記搬送部による紙葉類の搬送速度で割り算したときの大きさに基づいて算出される、請求項３記載の紙葉類繰出機構。
【請求項５】
前記紙葉類繰出機構は、透明部分または半透明部分が形成されていない第１の種類の紙葉類、透明部分または半透明部分がその一部に形成されている第２の種類の紙葉類、および第２の種類の紙葉類における透明部分または半透明部分とは形状が異なる透明部分または半透明部分がその一部に形成されている第３の種類の紙葉類の繰り出しを行うようになっており、第３の種類の紙葉類の繰り出しを行う際に、前記設定部により前記マスキングモードを適用することが設定される、請求項３または４記載の紙葉類繰出機構。
【請求項６】
集積された複数の紙葉類のうち１枚の紙葉類を繰り出す繰出部と、前記繰出部から繰り出された紙葉類を搬送路に沿って搬送する搬送部と、前記搬送部の搬送路の幅方向に沿って複数設けられた透光センサであって、紙葉類が通過すると透光状態から遮光状態になる透光センサと、を備えた紙葉類繰出機構による紙葉類繰出工程において、
前記繰出部により、集積された複数の紙葉類のうち１枚の紙葉類を繰り出す工程と、
前記搬送部により、前記繰出部から繰り出された紙葉類を搬送路に沿って搬送する工程と、
前記搬送部により紙葉類が搬送される際に、前記複数の透光センサのうち少なくとも一部の透光センサが遮光状態となった後、所定の検出時間に係る期間内において全ての透光センサが一度は透光状態になるか否かを検出する工程と、
所定の検出時間に係る期間内において全ての透光センサが一度は透光状態になる場合には前記繰出部による紙葉類の繰り出しを停止させる工程と、
を備えた、紙葉類繰出方法。
【請求項７】
前記紙葉類繰出機構は、透明部分または半透明部分が形成されていない第１の種類の紙葉類、および透明部分または半透明部分がその一部に形成されている第２の種類の紙葉類の繰り出しを行う、請求項６に記載の紙葉類繰出方法。
【請求項８】
マスキングモードを適用するか否かの設定を行うことができるようになっており、
前記マスキングモードを適用することが設定されたときには、前記搬送部により紙葉類が搬送される際に、複数の透光センサのうち少なくとも一部の透光センサが遮光状態となった後、所定のマスキング時間が経過するまでは、所定の検出時間に係る期間内において全ての透光センサが一度は透光状態になる場合でも、前記繰出部による紙葉類の繰り出しを停止させない、請求項６に記載の紙葉類繰出方法。
【請求項９】
前記マスキング時間は、前記紙葉類繰出機構により繰り出されるべき紙葉類における繰出方向の長さを、前記搬送部による紙葉類の搬送速度で割り算したときの大きさに基づいて算出される、請求項８記載の紙葉類繰出方法。
【請求項１０】
前記紙葉類繰出機構は、透明部分または半透明部分が形成されていない第１の種類の紙葉類、透明部分または半透明部分がその一部に形成されている第２の種類の紙葉類、および第２の種類の紙葉類における透明部分または半透明部分とは形状が異なる透明部分または半透明部分がその一部に形成されている第３の種類の紙葉類の繰り出しを行うようになっており、第３の種類の紙葉類の繰り出しを行う際に、前記マスキングモードを適用することが設定される、請求項８または９記載の紙葉類繰出方法。
【発明の詳細な説明】
【技術分野】
【０００１】
本発明は、紙幣等の紙葉類の繰り出しを行う紙葉類繰出機構および紙葉類繰出方法に関する。
【背景技術】
【０００２】
紙幣の入金処理や出金処理を行う紙幣処理装置において、筐体の外部から内部へ紙幣を繰り出す紙幣繰出機構が入金部に設けられている。このような紙幣繰出機構として、例えば特許文献１や特許文献２等に示すように様々なタイプのものが知られている。
【０００３】
従来の紙幣繰出機構について、図１１乃至図１４を用いて説明する。図１１は、従来の紙幣繰出機構の構成を示す側面図であり、図１２は、図１１に示す紙幣繰出機構を上方から見たときの搬送部および透光センサの構成を示す上面図である。また、図１３は、搬送部において斜行状態で紙幣が搬送されたときの状態を示す上面図であり、図１４は、搬送部において透明部分または半透明部分がその一部に形成されている紙幣が搬送されたときの状態を示す上面図である。
【０００４】
図１１に示す紙幣繰出機構８０には、紙幣の繰り出しを行う繰出ベルト８２が設けられている。また、この繰出ベルト８２の近傍には、当該繰出ベルト８２により繰り出された紙幣を搬送する一対の搬送ベルト８４、８６が設けられている。また、一対の搬送ベルト８４、８６の近傍には、これらの搬送ベルト８４、８６により搬送された紙幣の識別を行う識別部８８が設けられている。
【０００５】
このような紙幣繰出機構８０について具体的に説明すると、紙幣処理装置の筐体の外部から内部へ紙幣を投入する際に、操作者は紙幣繰出機構８０の繰出ベルト８２上（図１１において参照符号Ｍで示す領域）に複数の紙幣を集積状態で載置するようになっている。そして、繰出ベルト８２上に集積された紙幣は、当該繰出ベルト８２により１枚ずつ図１１における左方向に繰り出され、一対の搬送ベルト８４、８６の間に送られる。繰出ベルト８２により繰り出された紙幣は、一対の搬送ベルト８４、８６に挟まれながら図１１における左方向に搬送され、その後識別部８８によりその金種、真偽、正損等の識別が行われる。図１１に示す従来の紙幣繰出機構８０において、一対の搬送ベルト８４、８６により、紙幣を搬送路９１に沿って搬送する搬送部９０が構成されている。
【０００６】
また、従来の紙幣繰出機構８０において、図１１および図１２に示すように、搬送部９０には、搬送路９１の幅方向（図１２における上下方向）に沿って４つの透光センサ９２が設けられている。前述したように、図１２は、図１１に示す紙幣繰出機構８０を上方から見たときの搬送部９０および透光センサ９２の構成を示す上面図である。図１１に示すように、各透光センサ９２は、繰出ベルト８２と、一対の搬送ベルト８４、８６との間に設けられている。また、図１２に示すように、搬送路９１に沿って紙幣Ｐが図１２における左方向に搬送される際に、紙幣Ｐが各透光センサ９２上を通過すると当該透光センサ９２は透光状態から遮光状態となるようになっている。この際に、一般的には紙幣Ｐの搬送方向における幅の大きさよりも搬送路９１の幅が大きいため、紙幣Ｐが搬送路９１に沿って搬送される際に紙幣Ｐの位置によっては全ての透光センサ９２が遮光状態とならずに一部の透光センサ９２が透光状態を維持し続ける場合がある。
【０００７】
従来の紙幣繰出機構８０では、繰出ベルト８２を連続的に回転させることにより紙幣を連続的に繰り出すのではなく、繰出ベルト８２により１枚の紙幣を繰り出した後、当該繰出ベルト８２を一旦停止させ、紙幣を間欠的に繰り出すようになっている。繰出ベルト８２により紙幣を連続的に繰り出した場合には、一の紙幣とこの紙幣に続く他の紙幣との間の間隔が非常に狭くなってしまうか、あるいは前後の紙幣の間隔が無くなって重送状態となってしまい、識別部８８により紙幣の識別を適切に行うことができなくなるからである。このため、繰出ベルト８２により一の紙幣が繰り出され、この紙幣が各透光センサ９２により検出されると、繰出ベルト８２を一旦停止させ、所定期間が経過した後に再び繰出ベルト８２を作動させることにより次の紙幣の繰り出しを行うようになる。
【先行技術文献】
【特許文献】
【０００８】
【特許文献１】国際特許出願公開公報ＷＯ２００８／１３９８２２３Ａ１
【特許文献２】特許第３２８４０４０号
【発明の概要】
【発明が解決しようとする課題】
【０００９】
図１１および図１２に示すような従来の紙幣繰出機構８０において、各透光センサ９２により紙幣を検出する方法としては様々な方法が考えられる。例えば、繰出ベルト８２により繰り出された紙幣の前端縁が４つの透光センサ９２のうち少なくとも一部の透光センサ９２に到達することによりこれらの透光センサ９２が遮光状態となった後、紙幣の後端縁が各透光センサ９２に到達することにより全ての透光センサ９２が透光状態となったときに、各透光センサ９２により紙幣が検出されたと判断し、繰出ベルト８２を一旦停止させる方法が考えられる。
【００１０】
しかしながら、このような方法では、搬送路９１において紙幣が斜行状態で搬送されたときに以下に示すような問題が生じる場合がある。すなわち、図１３に示すように、一の紙幣Ｐ１とこの一の紙幣Ｐ１に続く他の紙幣Ｐ２がそれぞれ搬送路９１において斜行状態で搬送される際に、一の紙幣Ｐ１の前端縁が４つの透光センサ９２のうち少なくとも一部の透光センサ９２に到達することによりこれらの透光センサ９２が遮光状態となった後、この一の紙幣Ｐ１の後端縁が各透光センサ９２に到達することにより全ての透光センサ９２が透光状態となる前に、他の紙幣Ｐ２の前端縁が４つの透光センサ９２のうち図１３における下から２番目の透光センサ９２に達することによりこの透光センサ９２が遮光状態となってしまう。この場合には、他の紙幣Ｐ２の後端縁が各透光センサ９２に到達するまでは、全ての透光センサ９２が透光状態とならないため、２枚の紙幣Ｐ１、Ｐ２が各透光センサ９２を通過したにもかかわらず１枚の紙幣しか検出されないことになる。このため、紙幣Ｐ１が繰出ベルト８２により繰り出された後に当該繰出ベルト８２が一旦停止することなく次の紙幣Ｐ２が繰出ベルト８２により繰り出されてしまい、識別部８８により紙幣を適切に識別することができなかったり搬送部９０において紙幣Ｐ１、Ｐ２の間隔が狭いことによりジャムが生じたりするおそれがある。
【００１１】
このため、各透光センサ９２により紙幣を検出する他の方法として、以下の方法が用いられる場合もある。すなわち、繰出ベルト８２により繰り出された紙幣の前端縁が４つの透光センサ９２のうち少なくとも一部の透光センサ９２に到達することによりこれらの透光センサ９２が遮光状態となった後、全ての透光センサ９２ではなく遮光状態となっている１つの透光センサ９２が透光状態となったときに、各透光センサ９２により紙幣が検出されたと判断し、繰出ベルト８２を一旦停止させる方法が考えられる。
【００１２】
しかしながら、このような方法では以下に示すような問題が生じる場合がある。すなわち、従来の紙幣繰出機構８０により繰り出される紙幣としては、透明部分または半透明部分が形成されていない紙幣の他に、ビニール等の透明部分または半透明部分がその一部に形成されている紙幣が用いられる場合がある。このような紙幣の構成について図１４を用いて説明する。図１４に示す紙幣Ｐ３では、その一部に、ビニール等の透明部分または半透明部分（以下、この部分をＱ３という）が形成されている。このような透明部分または半透明部分Ｑ３が形成されている紙幣Ｐ３が搬送部９０の搬送路９１に沿って搬送される際に、紙幣Ｐ３の透明部分または半透明部分Ｑ３が透光センサ９２上に到達すると、当該透光センサ９２は透光状態となる。このため、上述したような、繰出ベルト８２により繰り出された紙幣の前端縁が４つの透光センサ９２のうち少なくとも一部の透光センサ９２に到達することによりこれらの透光センサ９２が遮光状態となった後、遮光状態となっている１つの透光センサ９２が透光状態となったときに、各透光センサ９２により紙幣が検出されたと判断し、繰出ベルト８２を一旦停止させる方法では、遮光状態となっている１つの透光センサ９２に紙幣Ｐ３の後端縁が到達する前に、紙幣Ｐ３の透明部分または半透明部分Ｑ３が図１４における下から２番目の透光センサ９２上に到達することにより当該透光センサ９２が透光状態となってしまい、各透光センサ９２による紙幣Ｐの検出を適切に行うことができないという問題が生じる。この場合には、紙幣Ｐ３の後端縁が各透光センサ９２に到達する前に繰出ベルト８２が一旦停止してしまい、当該紙幣Ｐ３の後端縁近傍の部分を繰出ベルト８２により繰り出すことができなくなってしまうおそれがある。
【００１３】
このように、従来の紙幣繰出機構８０では、紙幣の種類や搬送状態によっては各透光センサ９２による紙幣Ｐの検出を適切に行うことができず、繰出ベルト８２を一旦停止させるタイミングが誤ったものとなってしまい、前後の紙幣の間隔が狭くなり過ぎたり紙幣の後端縁が各透光センサ９２に到達する前に繰出ベルト８２が一旦停止してしまったりするというトラブルが生じるおそれがある。
【００１４】
本発明は、このような点を考慮してなされたものであり、紙葉類の種類や搬送状態にかかわらず、搬送部の搬送路の幅方向に沿って設けられた複数の透光センサにより紙葉類の検出を適切に行うことができ、繰出部による紙葉類の繰り出しを停止させるタイミングを適正なものとすることができる紙葉類繰出機構および紙葉類繰出方法を提供することを目的とする。
【課題を解決するための手段】
【００１５】
本発明は、紙葉類の繰り出しを行う紙葉類繰出機構において、集積された複数の紙葉類のうち１枚の紙葉類を繰り出す繰出部と、前記繰出部から繰り出された紙葉類を搬送路に沿って搬送する搬送部と、前記搬送部の搬送路の幅方向に沿って複数設けられた透光センサであって、紙葉類が通過すると透光状態から遮光状態になる透光センサと、前記繰出部の制御を行う制御部であって、前記複数の透光センサのうち少なくとも一部の透光センサが遮光状態となった後、所定の検出時間に係る期間内において全ての透光センサが一度は透光状態になるか否かを検出し、当該期間内において全ての透光センサが一度は透光状態になる場合には前記繰出部による紙葉類の繰り出しを停止させる制御部と、を備えた、紙葉類繰出機構である。
【００１６】
このような紙葉類繰出機構によれば、搬送部の搬送路の幅方向に沿って複数の透光センサが設けられており、複数の透光センサのうち少なくとも一部の透光センサが遮光状態となった後、所定の検出時間に係る期間内において全ての透光センサが一度は透光状態になるか否かを検出し、当該期間内において全ての透光センサが一度は透光状態になる場合には繰出部による紙葉類の繰り出しを停止させるようになっている。このことにより、紙葉類の種類や搬送状態にかかわらず、搬送部の搬送路の幅方向に沿って設けられた複数の透光センサにより紙葉類の検出を適切に行うことができ、繰出部による紙葉類の繰り出しを停止させるタイミングを適正なものとすることができる。また、このような紙葉類繰出機構によれば、様々な種類の紙葉類に対して、１種類のハードウェアやソフトウェアにより対応可能となり、設定ミスの発生を抑制することができるようになる。
【００１７】
このような紙葉類繰出機構においては、前記紙葉類繰出機構は、透明部分または半透明部分が形成されていない第１の種類の紙葉類、および透明部分または半透明部分がその一部に形成されている第２の種類の紙葉類の繰り出しを行うようになっていてもよい。
【００１８】
本発明の紙葉類繰出機構においては、マスキングモードを適用するか否かの設定を行う設定部を更に備え、前記制御部は、前記設定部により前記マスキングモードを適用することが設定されたときには、複数の透光センサのうち少なくとも一部の透光センサが遮光状態となった後、所定のマスキング時間が経過するまでは、所定の検出時間に係る期間内において全ての透光センサが一度は透光状態になる場合でも、前記繰出部による紙葉類の繰り出しを停止させないようになっていてもよい。
【００１９】
この場合には、前記マスキング時間は、前記紙葉類繰出機構により繰り出されるべき紙葉類における繰出方向の長さを、前記搬送部による紙葉類の搬送速度で割り算したときの大きさに基づいて算出されるようになっていてもよい。
【００２０】
また、この場合には、前記紙葉類繰出機構は、透明部分または半透明部分が形成されていない第１の種類の紙葉類、透明部分または半透明部分がその一部に形成されている第２の種類の紙葉類、および第２の種類の紙葉類における透明部分または半透明部分とは形状が異なる透明部分または半透明部分がその一部に形成されている第３の種類の紙葉類の繰り出しを行うようになっており、第３の種類の紙葉類の繰り出しを行う際に、前記設定部により前記マスキングモードを適用することが設定されるようになっていてもよい。
【００２１】
本発明は、集積された複数の紙葉類のうち１枚の紙葉類を繰り出す繰出部と、前記繰出部から繰り出された紙葉類を搬送路に沿って搬送する搬送部と、前記搬送部の搬送路の幅方向に沿って複数設けられた透光センサであって、紙葉類が通過すると透光状態から遮光状態になる透光センサと、を備えた紙葉類繰出機構による紙葉類繰出工程において、前記繰出部により、集積された複数の紙葉類のうち１枚の紙葉類を繰り出す工程と、前記搬送部により、前記繰出部から繰り出された紙葉類を搬送路に沿って搬送する工程と、前記搬送部により紙葉類が搬送される際に、前記複数の透光センサのうち少なくとも一部の透光センサが遮光状態となった後、所定の検出時間に係る期間内において全ての透光センサが一度は透光状態になるか否かを検出する工程と、所定の検出時間に係る期間内において全ての透光センサが一度は透光状態になる場合には前記繰出部による紙葉類の繰り出しを停止させる工程と、を備えた、紙葉類繰出方法である。
【００２２】
このような紙葉類繰出方法によれば、搬送部の搬送路の幅方向に沿って複数の透光センサが設けられており、複数の透光センサのうち少なくとも一部の透光センサが遮光状態となった後、所定の検出時間に係る期間内において全ての透光センサが一度は透光状態になるか否かを検出し、当該期間内において全ての透光センサが一度は透光状態になる場合には繰出部による紙葉類の繰り出しを停止させるようになっている。このことにより、紙葉類の種類や搬送状態にかかわらず、搬送部の搬送路の幅方向に沿って設けられた複数の透光センサにより紙葉類の検出を適切に行うことができ、繰出部による紙葉類の繰り出しを停止させるタイミングを適正なものとすることができる。また、このような紙葉類繰出方法によれば、様々な種類の紙葉類に対して、１種類のハードウェアやソフトウェアにより対応可能となり、設定ミスの発生を抑制することができるようになる。
【００２３】
このような紙葉類繰出方法においては、前記紙葉類繰出機構は、透明部分または半透明部分が形成されていない第１の種類の紙葉類、および透明部分または半透明部分がその一部に形成されている第２の種類の紙葉類の繰り出しを行うようになっていてもよい。
【００２４】
本発明の紙葉類繰出方法においては、マスキングモードを適用するか否かの設定を行うことができるようになっており、前記マスキングモードを適用することが設定されたときには、前記搬送部により紙葉類が搬送される際に、複数の透光センサのうち少なくとも一部の透光センサが遮光状態となった後、所定のマスキング時間が経過するまでは、所定の検出時間に係る期間内において全ての透光センサが一度は透光状態になる場合でも、前記繰出部による紙葉類の繰り出しを停止させないようになっていてもよい。
【００２５】
この場合には、前記マスキング時間は、前記紙葉類繰出機構により繰り出されるべき紙葉類における繰出方向の長さを、前記搬送部による紙葉類の搬送速度で割り算したときの大きさに基づいて算出されるようになっていてもよい。
【００２６】
また、この場合には、前記紙葉類繰出機構は、透明部分または半透明部分が形成されていない第１の種類の紙葉類、透明部分または半透明部分がその一部に形成されている第２の種類の紙葉類、および第２の種類の紙葉類における透明部分または半透明部分とは形状が異なる透明部分または半透明部分がその一部に形成されている第３の種類の紙葉類の繰り出しを行うようになっており、第３の種類の紙葉類の繰り出しを行う際に、前記マスキングモードを適用することが設定されるようになっていてもよい。
【発明の効果】
【００２７】
本発明の紙葉類繰出機構および紙葉類繰出方法によれば、紙葉類の種類や搬送状態にかかわらず、搬送部の搬送路の幅方向に沿って設けられた複数の透光センサにより紙葉類の検出を適切に行うことができ、繰出部による紙葉類の繰り出しを停止させるタイミングを適正なものとすることができる。
【図面の簡単な説明】
【００２８】
【図１】本発明の一の実施の形態による紙幣処理装置の外観を示す斜視図である。
【図２】図１に示す紙幣処理装置の内部構成を示す構成図である。
【図３】図１および図２に示す紙幣処理装置における紙幣繰出機構の構成を示す側面図である。
【図４】図３に示す紙幣繰出機構を上方から見たときの搬送部および透光センサの構成を示す上面図である。
【図５】（ａ）〜（ｃ）は、第１〜第３の種類の紙幣の構成を説明するための図である。
【図６】図３等に示す紙幣繰出機構において、制御部による繰出ベルトの制御方法を示すフローチャートである。
【図７】図４等に示す搬送部において第１の種類の紙幣が斜行状態で搬送されているときの状態を示す図である。
【図８】図４等に示す搬送部において第２の種類の紙幣が斜行状態で搬送されているときの状態を示す図である。
【図９】図４等に示す搬送部において第３の種類の紙幣が正常な搬送状態で搬送されているときの状態を示す図である。
【図１０Ａ】第１の種類の紙幣が各透光センサにより検出されるときのタイミングチャートである。
【図１０Ｂ】第２の種類の紙幣が各透光センサにより検出されるときのタイミングチャートである。
【図１０Ｃ】第３の種類の紙幣が各透光センサにより検出されるときのタイミングチャートである。
【図１１】従来の紙幣繰出機構の構成を示す側面図である。
【図１２】図１１に示す紙幣繰出機構を上方から見たときの搬送部および透光センサの構成を示す上面図である。
【図１３】図１２等に示す搬送部において斜行状態で紙幣が搬送されているときの状態を示す上面図である。
【図１４】図１２等に示す搬送部において透明部分または半透明部分がその一部に形成されている紙幣が搬送されているときの状態を示す上面図である。
【発明を実施するための形態】
【００２９】
以下、図面を参照して本発明の実施の形態について説明する。図１乃至図１０は、本実施の形態に係る紙幣繰出機構およびこの紙幣繰出機構を備えた紙幣処理装置を示す図である。
【００３０】
まず、本実施の形態による紙幣処理装置の構成について図１および図２を用いて説明する。ここで、図１は、本実施の形態による紙幣処理装置の外観を示す斜視図であり、図２は、図１に示す紙幣処理装置の内部構成を示す構成図である。
【００３１】
図１に示すように、紙幣処理装置１０は、筐体１０ａと、入金部１２と、出金部１４とを備えている。入金部１２は、バラ紙幣を投入するために設けられている。出金部１４は、バラ紙幣を投出するために設けられている。
【００３２】
図２に示すように、入金部１２には入金部カバー１２ａが設けられている。入金部カバー１２ａの下部には隙間があり、この入金部カバー１２ａを閉じていても、小数枚の紙幣の投入が可能になっている。大量の紙幣を投入する場合、操作者は入金時に入金部カバー１２ａを開けて紙幣を入金部１２へ投入する。また、入金部１２には、投入された紙幣を一枚ずつ搬送部２０へ繰り出す繰出ベルト２２が繰出部として設けられている。搬送部２０には識別部２８が設けられており、この識別部２８は、繰出ベルト２２により繰り出された紙幣の金種、真偽、正損等の識別を行うようになっている。搬送部２０は、識別部２８により識別された紙幣を、収納部１６、出金部１４または回収カセット１８のいずれかへ搬送するように構成されている。より詳細には、識別部２８による識別結果に基づいて収納部１６に紙幣が金種ごとに収納され、収納部１６が紙幣でフル状態の場合、回収カセット１８に紙幣を収納する。また、識別部２８においてリジェクト券、偽券、真偽不確定券が識別された場合、これらの紙幣は搬送部２０により出金部１４に搬送され、当該出金部１４により筐体１０ａの外部に投出される。なお、出金部１４には出金部シャッタ１４ａが設けられており、識別部２８により識別された紙幣に偽券、真偽不確定券が含まれる場合には、この出金部シャッタ１４ａを閉じた状態を維持し、係員の到着を待つようになる。
【００３３】
一方、紙幣を出金するために、収納部１６は、紙幣を一枚ずつ搬送部２０へ繰り出すように構成されている。搬送部２０は、収納部１６から繰り出された紙幣を出金部１４へ搬送する。前述したように、出金部１４には出金部シャッタ１４ａが設けられており、出金紙幣の集積後、出金部シャッタ１４ａを開け、紙幣の取出しを可能にする。
【００３４】
このように、紙幣処理装置１０は、入金部１２に投入された紙幣を収納部１６へ収納し、逆に、収納部１６に収納された紙幣を出金部１４へ投出することができるように構成されている。即ち、紙幣処理装置１０は、入金された紙幣を出金に再利用することができるように構成されている。
【００３５】
図１および図２等に示す紙幣処理装置１０において、入金部１２に投入された紙幣を搬送部２０に繰り出す紙幣繰出機構１３が設けられている。このような紙幣繰出機構１３の構成について図３乃至図１０を用いて説明する。図３は、本実施の形態による紙幣繰出機構１３の構成を示す側面図であり、図４は、図３に示す紙幣繰出機構１３を上方から見たときの搬送部２０および透光センサ３２の構成を示す上面図である。また、図５（ａ）〜（ｃ）は、第１〜第３の種類の紙幣の構成を説明するための図である。また、図６は、図３等に示す紙幣繰出機構１３において、制御部５０による繰出ベルト２２の制御方法を示すフローチャートである。また、図７は、図４等に示す搬送部２０において第１の種類の紙幣が斜行状態で搬送されているときの状態を示す図であり、図８は、図４等に示す搬送部２０において第２の種類の紙幣が斜行状態で搬送されているときの状態を示す図であり、図９は、図４等に示す搬送部２０において第３の種類の紙幣が正常な搬送状態で搬送されているときの状態を示す図である。また、図１０Ａ〜図１０Ｃは、それぞれ、第１〜第３の種類の紙幣が各透光センサ３２により検出されるときのタイミングチャートである。
【００３６】
図３に示す紙幣繰出機構１３には、紙幣の繰り出しを行う繰出ベルト２２が設けられている。また、この繰出ベルト２２の近傍には、当該繰出ベルト２２により繰り出された紙幣を搬送する一対の搬送ベルト２４、２６が設けられている。また、一対の搬送ベルト２４、２６の近傍には、これらの搬送ベルト２４、２６により搬送された紙幣の識別を行う識別部２８が設けられている。本実施の形態の紙幣繰出機構１３においては、一対の搬送ベルト２４、２６は、紙幣を搬送路２１に沿って搬送する搬送部２０の一部を構成している。
【００３７】
このような紙幣繰出機構１３について具体的に説明すると、紙幣処理装置１０の筐体１０ａの外部から内部へ紙幣を投入する際に、操作者は紙幣繰出機構１３の繰出ベルト２２上（図３において参照符号Ｎで示す領域）に複数の紙幣を集積状態で載置するようになっている。そして、繰出ベルト２２上に集積された紙幣は、当該繰出ベルト２２により１枚ずつ図３における左方向に繰り出され、一対の搬送ベルト２４、２６の間に送られる。繰出ベルト２２により繰り出された紙幣は、一対の搬送ベルト２４、２６に挟まれながら図３における左方向に搬送され、その後識別部２８によりその金種、真偽、正損等の識別が行われる。
【００３８】
また、従来の紙幣繰出機構１３において、図３および図４に示すように、搬送部２０には、搬送路２１の幅方向（図４における上下方向）に沿って４つの透光センサ３２が設けられている。前述したように、図４は、図３に示す紙幣繰出機構１３を上方から見たときの搬送部２０および透光センサ３２の構成を示す上面図である。図３に示すように、各透光センサ３２は、繰出ベルト２２と、一対の搬送ベルト２４、２６との間に設けられている。また、図４に示すように、搬送路２１に沿って紙幣Ｐが図４における左方向に搬送される際に、紙幣Ｐが各透光センサ３２上を通過すると当該透光センサ３２は透光状態から遮光状態となるようになっている。この際に、一般的には紙幣Ｐの搬送方向における幅の大きさよりも搬送路２１の幅が大きいため、紙幣Ｐが搬送路２１に沿って搬送される際に紙幣Ｐの位置によっては全ての透光センサ３２が遮光状態とならずに一部の透光センサ３２が透光状態を維持し続ける場合がある。
【００３９】
本実施の形態の紙幣繰出機構１３では、繰出ベルト２２を連続的に回転させることにより紙幣を連続的に繰り出すのではなく、繰出ベルト２２により１枚の紙幣を繰り出した後、当該繰出ベルト２２を一旦停止させ、紙幣を間欠的に繰り出すようになっている。繰出ベルト２２により紙幣を連続的に繰り出した場合には、一の紙幣とこの紙幣に続く他の紙幣との間の間隔が非常に狭くなってしまうか、あるいは前後の紙幣の間隔が無くなって重送状態となってしまい、識別部２８により紙幣の識別を適切に行うことができなくなるからである。このため、繰出ベルト２２により一の紙幣が繰り出され、この紙幣が各透光センサ３２により検出されると、繰出ベルト２２を一旦停止させ、所定期間が経過した後に再び繰出ベルト２２を作動させることにより次の紙幣の繰り出しを行うようになる。
【００４０】
次に、本実施の形態の紙幣処理装置１０により処理される紙幣の様々な種類について図５を用いて説明する。紙幣処理装置１０により処理される紙幣としては、透明部分または半透明部分が形成されていない第１の種類の紙幣（図５（ａ）参照）、透明部分または半透明部分がその一部に形成されている第２の種類の紙幣（図５（ｂ）参照）、および第２の種類の紙幣における透明部分または半透明部分とは形状が異なる透明部分または半透明部分がその一部に形成されている第３の種類の紙幣（図５（ｃ）参照）からなる３種類の紙幣が挙げられる。なお、図５（ｂ）（ｃ）に示す第２、第３の種類の紙幣において、透明部分または半透明部分を斜線で示している。
【００４１】
図５（ａ）に示すような第１の種類の紙幣は、例えば日本円紙幣、米ドル紙幣およびユーロ紙幣等のような、ビニール等の透明部分または半透明部分が何ら形成されていない紙幣のことをいう。また、図５（ｂ）に示すような第２の種類の紙幣としては、例えばオーストラリアドル紙幣が挙げられる。また、図５（ｃ）に示すような第３の種類の紙幣には、第２の種類の紙幣における透明部分または半透明部分よりも十分に面積が大きい透明部分または半透明部分が形成されており、紙幣の搬送方向における幅方向（紙幣の短手方向、すなわち図５における上下方向）の大部分の領域を占めるようになっている。このため、このような紙幣が各透光センサ３２を通過する際には、紙幣の透明部分または半透明部分が各透光センサ３２に到達したときに全ての透光センサ３２が透光状態となる場合がある。このような第３の種類の紙幣としては、例えばカナダドル紙幣が挙げられる。カナダドル紙幣では、全ての金種において紙幣の札長（図５における左右方向の長さ）が同一となっている。
【００４２】
また、図２に示すように、本実施の形態の紙幣処理装置１０には、繰出ベルト２２等の制御を行う制御部５０と、操作者が様々な指令を制御部５０に入力するための入力部５２とが設けられている。入力部５２は、例えばキーやタッチパネル等から構成されている。より具体的には、紙幣処理装置１０に紙幣を入金する前に、操作者は図５（ａ）〜（ｃ）に示すような様々な種類の紙幣のうちどの種類の紙幣を入金するかについて入力部５２により入力することができるようになっている。なお、他の態様として、紙幣処理装置１０に接続された上位端末（図示せず）により、図５（ａ）〜（ｃ）に示すような様々な種類の紙幣のうちどの種類の紙幣を入金するかについて設定することができるようになっていてもよい。
【００４３】
また、図２に示すように、本実施の形態の紙幣処理装置１０において、制御部５０には設定部５４が接続されている。設定部５４は、後述するマスキングモードを適用するか否かの設定を行うようになっている。より詳細には、入力部５２により、図５（ｃ）に示すような第３の種類の紙幣を紙幣処理装置１０に入金することが制御部５０に入力された場合には、設定部５４において後述するマスキングモードを適用することが設定されるようになる。一方、入力部５２により、図５（ａ）（ｂ）に示すような第１または第２の種類の紙幣を紙幣処理装置１０に入金することが制御部５０に入力された場合には、設定部５４において後述するマスキングモードは適用されない。なお、他の態様として、紙幣処理装置１０に接続された上位端末（図示せず）により、マスキングモードを適用するか否かの設定を行うことができるようになっていてもよい。
【００４４】
制御部５０は、各透光センサ３２による紙幣の検出状態に基づいて繰出ベルト２２の制御を行うようになっている。このような制御部５０による繰出ベルト２２の制御方法について、図６に示すフローチャートを用いて以下に説明する。なお、以下に示す動作は制御部５０が紙幣繰出機構１３の各構成要素、とりわけ繰出ベルト２２を制御することにより行われるようになっている。
【００４５】
図６のフローチャートに示すように、紙幣処理装置１０に紙幣を入金する前に、操作者はまず入力部５２により紙幣の種類を入力する（ＳＴＥＰ１）。ここで、入力部５２により入力された紙幣の種類が第１または第２の種類の紙幣である場合には（ＳＴＥＰ２の「ＮＯ」）、設定部５４においてマスキングモードは適用されない（ＳＴＥＰ３）。一方、入力部５２により入力された紙幣の種類が第３の種類の紙幣である場合には（ＳＴＥＰ２の「ＹＥＳ」）、設定部５４においてマスキングモードが適用される（ＳＴＥＰ４）。
【００４６】
設定部５４においてマスキングモードを適用するか否かが適用された後、操作者は入金部１２に複数の紙幣を積層状態で投入する。その後、操作者が入力部５２により入金開始の指令を制御部５０に与えると、繰出ベルト２２上（図３における参照符号Ｎで示す領域）に集積された紙幣が当該繰出ベルト２２により１枚ずつ図３における左方向に繰り出されるようになる（ＳＴＥＰ５）。そして、繰出ベルト２２により繰り出された紙幣の先端縁が各透光センサ３２に到達すると、４つの透光センサ３２のうち少なくとも一部の透光センサ３２が遮光状態となる（ＳＴＥＰ６の「ＹＥＳ」）。
【００４７】
そして、マスキングモードが適用されていない場合には（ＳＴＥＰ７の「ＮＯ」）、４つの透光センサ３２のうち少なくとも一部の透光センサ３２が遮光状態となった後、紙幣の後端縁が各透光センサ３２に到達し、所定の検出時間に係る期間内において全ての透光センサ３２が一度は透光状態となると（ＳＴＥＰ９の「ＹＥＳ」）、繰出ベルト２２による紙幣の繰り出しを一旦停止させる。ここで、「所定の検出時間に係る期間」の開始時点は、４つの透光センサ３２のうち少なくとも一部の透光センサ３２が遮光状態となった後における任意の時点とすることができる。言い換えると、各透光センサ３２が透光状態となるタイミングの差が「所定の検出時間」内となれば、ＳＴＥＰ９の判定において「ＹＥＳ」となる。このような「所定の検出時間に係る期間」は、後述するタイミングチャート（図１０Ａ〜図１０Ｃ）において参照符号Ａで示される期間である。
【００４８】
より詳細に説明すると、図４に示すように搬送部２０の搬送路２１において紙幣が斜行状態とならずに正常な搬送状態で搬送されている場合には、繰出ベルト２２により繰り出された紙幣の先端縁が各透光センサ３２に到達し、４つの透光センサ３２のうち２つまたは３つの透光センサ３２が遮光状態となった後、遮光状態となっている２つまたは３つの透光センサ３２はほぼ同時に透光状態となる。各透光センサ３２が透光状態となるタイミングの差が「所定の検出時間」内となり、この場合には、所定の検出時間に係る期間内において全ての透光センサ３２が一度は透光状態となるので、繰出ベルト２２による紙幣の繰り出しを一旦停止させ、後続の紙幣が繰出ベルト２２によりすぐに繰り出されないようにする。
【００４９】
一方、図７に示すように搬送部２０の搬送路２１において紙幣が斜行状態で搬送されている場合には、繰出ベルト２２により繰り出された紙幣の先端縁が各透光センサ３２に到達し、４つの透光センサ３２のうち２つまたは３つの透光センサ３２が遮光状態となった後、遮光状態となっている２つまたは３つの透光センサ３２は別々のタイミングで透光状態となる。この場合には、遮光状態となっている複数の透光センサ３２のうちある透光センサ３２が透光状態となった後、所定の検出時間に係る期間内において他の透光センサ３２が一度は透光状態となったら、繰出ベルト２２による紙幣の繰り出しを一旦停止させ、後続の紙幣が繰出ベルト２２によりすぐに繰り出されないようにする。図７に示すように紙幣が斜行状態で搬送されている場合には、例えば図７における下から２番目の透光センサ３２について、一の紙幣の後端縁が到達することにより透光状態となった後、一の紙幣に続く他の紙幣の先端縁が到達することにより遮光状態となってしまうが、この場合でも、所定の検出時間に係る期間内において透光センサ３２が「一度は」透光状態となるという条件を満たすため、当該透光センサ３２が後続の紙幣により遮光状態となってしまっても問題はない。
【００５０】
また、図６に示すフローチャートのＳＴＥＰ９における判定について、図８に示すように透明部分または半透明部分（図８において斜線で表示）が一部に形成されている第２の種類の紙幣が繰出ベルト２２により繰り出された場合でも、この紙幣の透明部分または半透明部分が透光センサ３２に到達したことをもって繰出ベルト２２による紙幣の繰り出しが一旦停止させられることはない。より詳細に説明すると、図６に示すフローチャートのＳＴＥＰ９における判定では、所定の検出時間に係る期間内において「全ての」透光センサ３２が一度は透光状態になるか否かを検出するようになっているので、第２の種類の紙幣の透明部分または半透明部分が例えば下から２番目の透光センサ３２に到達することにより当該透光センサ３２が透光状態になっても、上から２番目の透光センサ３２は遮光状態を維持し続けるため、全ての透光センサ３２が一度は透光状態になるという条件は満たされず、ＳＴＥＰ９の「ＮＯ」に示されるように繰出ベルト２２による紙幣の繰り出しが一旦停止させられることはない。このように、透明部分または半透明部分が形成されていない第１の種類の紙幣、および透明部分または半透明部分がその一部に形成されている第２の種類の紙幣のどちらの紙幣が繰出ベルト２２から繰り出された場合でも、紙幣の後端縁が各透光センサ３２に到達したときに初めて繰出ベルト２２による紙幣の繰り出しが一旦停止させられるようになる（ＳＴＥＰ１０）。その後、繰出ベルト２２による紙幣の繰り出しが再開され、入金部１２から全ての紙幣が紙幣繰出機構１３により繰り出されると（ＳＴＥＰ１１の「ＹＥＳ」）、紙幣の入金処理が終了する。
【００５１】
一方、図５（ｃ）に示すような第３の種類の紙幣を繰出ベルト２２により繰り出す場合には、前述したように当該第３の種類の紙幣に形成されている透明部分または半透明部分は、紙幣の搬送方向における幅方向（図５における上下方向）の大部分の領域を占めているため、図９に示すように、第３の種類の紙幣における透明部分または半透明部分が各透光センサ３２に到達したときに、全ての透光センサ３２が一時的に透光状態となる場合がある。このような第３の種類の紙幣に対して、単純に図６に示すフローチャートのＳＴＥＰ９における判定方法を適用しただけでは、第３の種類の紙幣における透明部分または半透明部分が各透光センサ３２に到達したときに、所定の検出時間に係る期間内において全ての透光センサ３２が一度は透光状態になることが検出されてしまい、当該紙幣の後端縁が各透光センサ３２に到達する前に繰出ベルト２２による紙幣の繰り出しが一旦停止してしまうおそれがある。このため、第３の種類の紙幣を繰出ベルト２２により繰り出す場合には、以下に示すようなマスキングモードを適用することによりこのような問題を防止するようになっている。
【００５２】
設定部５４によりマスキングモードを適用することが設定されているときには（ＳＴＥＰ７の「ＹＥＳ」）、複数の透光センサ３２のうち少なくとも一部の透光センサ３２が遮光状態となった後（ＳＴＥＰ６の「ＹＥＳ」）、所定のマスキング時間が経過するまでは、所定の検出時間に係る期間内において全ての透光センサ３２が一度は透光状態となる場合でも、繰出ベルト２２による紙幣の繰り出しを停止させない。すなわち、複数の透光センサ３２のうち少なくとも一部の透光センサ３２が遮光状態となった後（ＳＴＥＰ６の「ＹＥＳ」）、所定のマスキング時間が経過した後に（ＳＴＥＰ８の「ＹＥＳ」）、ＳＰＥＰ９における判定方法が適用されるようになる。ここで、所定のマスキング時間は、紙幣繰出機構１３により繰り出されるべき紙幣における繰出方向の長さ、すなわち紙幣の全長を、繰出ベルト２２により繰り出された紙幣の搬送速度で割り算したときの大きさとなるよう予め設定されるようになっている。ここで、第３の種類の紙幣としてカナダドル紙幣が用いられる場合には、前述したようにカナダドル紙幣では全ての金種において紙幣の札長が同一となっているため、マスキング時間も紙幣の金種によらず一定となる。このようなマスキングモードを適用することにより、紙幣の先端縁が各透光センサ３２に到達した後、紙幣の後端縁が各透光センサ３２に到達するまでは、ＳＰＥＰ９における判定方法が適用されないため（ＳＴＥＰ８の「ＮＯ」）、第３の種類の紙幣における透明部分または半透明部分が各透光センサ３２に到達したときに、全ての透光センサ３２が一時的に透光状態となっても、繰出ベルト２２による紙幣の繰り出しが一旦停止されることはない。
【００５３】
図６のフローチャートに示すような、制御部５０による繰出ベルト２２の制御方法についてより詳しく説明するため、図１０Ａ〜図１０Ｃに、第１〜第３の種類の紙幣がそれぞれ各透光センサ３２により検出されるときのタイミングチャートを示す。ここで、図１０Ａは、第１の種類の紙幣が図７に示すように斜行状態で搬送されている場合において各透光センサ３２により検出されるときのタイミングチャートを示し、図１０Ｂは、第２の種類の紙幣が図８に示すように斜行状態で搬送されている場合において各透光センサ３２により検出されるときのタイミングチャートを示し、図１０Ｃは、第３の種類の紙幣が図９に示すように正常な搬送状態で搬送されている場合において各透光センサ３２により検出されるときのタイミングチャートを示す。また、これらの図１０Ａ〜図１０Ｃにおけるタイミングチャートにおいて、図４等における４つの透光センサ３２を上から順に「第１の透光センサ」〜「第４の透光センサ」と記載している。また、図１０Ａ〜図１０Ｃにおけるタイミングチャートにおいて、「所定の検出時間に係る期間」を符号Ａで示し、「所定のマスキング期間」を符号Ｂで示している。
【００５４】
第１の種類の紙幣が図７に示すように斜行状態で搬送されている場合において、繰出ベルト２２による紙幣の繰出速度が０から増加し始めると、当該繰出ベルト２２による紙幣の繰出動作が開始される。この際に、まず時刻ｔ１において紙幣の先端縁が第３の透光センサ３２に到達することによりこの第３の透光センサ３２が透光状態から遮光状態になる。次に、時刻ｔ２において紙幣の先端縁が第２の透光センサ３２に到達することによりこの第２の透光センサ３２が透光状態から遮光状態になる。次に、時刻ｔ３において紙幣の先端縁が第１の透光センサ３２に到達することによりこの第１の透光センサ３２が透光状態から遮光状態になる。その後、時刻ｔ４において紙幣の側縁（図７における上側の側縁）が第１の透光センサ３２に到達することによりこの第１の透光センサ３２が遮光状態から透光状態になる。
【００５５】
その後、しばらく経過すると、時刻ｔ５において紙幣の側縁（図７における下側の側縁）が第４の透光センサ３２に到達することによりこの第４の透光センサ３２が透光状態から遮光状態になる。次に、時刻ｔ６において紙幣の後端縁が第４の透光センサ３２に到達することによりこの第４の透光センサ３２が遮光状態から透光状態になる。次に、時刻ｔ７において紙幣の後端縁が第３の透光センサ３２に到達することによりこの第３の透光センサ３２が遮光状態から透光状態になる。最後に、時刻ｔ８において紙幣の後端縁が第２の透光センサ３２に到達することによりこの第２の透光センサ３２が遮光状態から透光状態になる。
【００５６】
前述したように、図１０Ａにおけるタイミングチャートにおいて、「所定の検出時間に係る期間」を符号Ａで示しているが、第３の透光センサ３２が遮光状態から透光状態になった時刻である時刻ｔ７を、所定の検出時間に係る期間Ａの開始時点とすると、時刻ｔ８において、この期間Ａ内において全ての透光センサ３２が一度は透光状態となるという条件が満たされるようになる。このため、時刻ｔ８において繰出ベルト２２による紙幣の繰出速度が減速し始め、時間がしばらく経過したらこの繰出速度が０となることにより繰出ベルト２２による紙幣の繰り出しが一旦停止される。
【００５７】
一方、第２の種類の紙幣が図８に示すように斜行状態で搬送されている場合において、この第２の種類の紙幣が各透光センサ３２により検出されるときのタイミングチャートを図１０Ｂで示しているが、この場合には、図１０Ａに示すタイミングチャートと比較して、第３の透光センサ３２の遮光状態中において一時的に透光状態となる（図１０Ｂにおける期間Ｐ参照）。これは、第２の種類の紙幣に形成された透明部分または半透明部分が第３の透光センサ３２に到達することにより、第３の透光センサ３２が透光状態となるからである。ここで、第２の種類の紙幣に形成された透明部分または半透明部分が第３の透光センサ３２に到達することにより、第３の透光センサ３２が透光状態となった後、この第３の透光センサ３２が遮光状態になる瞬間を、所定の検出時間に係る期間（図１０ＢではＡ´で表示）の開始時点とした場合には、当該期間Ａ´内において第２の透光センサ３２が透光状態とならないため、期間Ａ´内において全ての透光センサ３２が一度は透光状態となるという条件は満たされない。このため、第２の種類の紙幣に形成された透明部分または半透明部分が第３の透光センサ３２に到達しただけでは、繰出ベルト２２による紙幣の繰り出しが一旦停止されることはない。
【００５８】
また、第３の種類の紙幣が図９に示すように正常な搬送状態で搬送されている場合において、この第３の種類の紙幣が各透光センサ３２により検出されるときのタイミングチャートを図１０Ｃで示しているが、第３の種類の紙幣が繰出ベルト２２により繰り出される場合には、設定部５４においてマスキングモードを適用することが設定されるようになるため、図１０Ｃのタイミングチャートにおいて符号Ｂで示すマスキング期間の間は、所定の検出時間に係る期間Ａ内において全ての透光センサ３２が一度は透光状態となるという条件が満たされたとしても、繰出ベルト２２による紙幣の繰り出しが一旦停止されることはない。このため、時刻ｔ１において紙幣の先端縁が第２および第３の透光センサ３２にそれぞれ到達することによりこれらの第２および第３の透光センサ３２が透光状態から遮光状態になった後、時刻ｔ２や時刻ｔ３においてこの紙幣に形成された透明部分または半透明部分が第２および第３の透光センサ３２にそれぞれ到達し、これらの第２および第３の透光センサ３２が遮光状態から透光状態になったとしても、第２および第３の透光センサ３２が透光状態となっているのはマスキング期間Ｂの間であるため、繰出ベルト２２による紙幣の繰り出しが一旦停止されることはない。その後、時刻ｔ４において紙幣の後端縁が第２および第３の透光センサ３２にそれぞれ到達することによりこれらの第２および第３の透光センサ３２が遮光状態から透光状態になったときに、マスキング期間Ｂは終了するため、期間Ａ内において全ての透光センサ３２が一度は透光状態となるという条件が満たされることにより、時刻ｔ４において繰出ベルト２２による紙幣の繰出速度が減速し始める。そして、時間がしばらく経過したらこの繰出速度が０となることにより繰出ベルト２２による紙幣の繰り出しが一旦停止される。
【００５９】
以上のように本実施の形態の紙幣繰出機構１３および紙幣繰出方法によれば、搬送部２０の搬送路２１の幅方向に沿って複数の透光センサ３２が設けられており、複数の透光センサ３２のうち少なくとも一部の透光センサ３２が遮光状態となった後（図１０Ａ〜図１０Ｃにおける時刻ｔ１参照）、所定の検出時間に係る期間（図１０Ａ〜図１０Ｃにおける期間Ａ）内において全ての透光センサ３２が一度は透光状態になるか否かを検出し、当該期間内において全ての透光センサ３２が一度は透光状態になる場合には繰出ベルト２２による紙幣の繰り出しを一旦停止させるようになっている。このことにより、紙幣の種類や搬送状態にかかわらず、搬送部２０の搬送路２１の幅方向に沿って設けられた複数の透光センサ３２により紙幣の検出を適切に行うことができ、繰出ベルト２２による紙幣の繰り出しを一旦停止させるタイミングを適正なものとすることができる。また、このような紙幣繰出機構１３および紙幣繰出方法によれば、複数の国における様々な種類の紙幣に対して、１種類のハードウェアやソフトウェアにより対応可能となり、設定ミスの発生を抑制することができるようになる。このような紙幣繰出機構１３および紙幣繰出方法は、とりわけ図５（ａ）に示すような第１の種類の紙幣（透明部分または半透明部分が形成されていない紙幣）および図５（ｂ）に示すような第２の種類の紙幣（透明部分または半透明部分がその一部に形成されている紙幣）を繰り出す場合に適している。
【００６０】
また、本実施の形態の紙幣繰出機構１３および紙幣繰出方法によれば、マスキングモードを適用するか否かの設定を行う設定部５４が設けられており、設定部５４によりマスキングモードを適用することが設定されたときには、複数の透光センサ３２のうち少なくとも一部の透光センサ３２が遮光状態となった後、所定のマスキング時間が経過するまでは（図１０Ｃにおける期間Ｂ参照）、所定の検出時間に係る期間内において全ての透光センサ３２が一度は透光状態になる場合でも、繰出ベルト２２による紙幣の繰り出しを停止させないようになっている。このことにより、図５（ｃ）に示すような、紙幣に形成されている透明部分または半透明部分が、当該紙幣の搬送方向における幅方向（図５における上下方向）の大部分の領域を占めるようになっており、この透明部分または半透明部分が各透光センサ３２に到達したときに全ての透光センサ３２が遮光状態から透光状態になる可能性があっても、このような紙幣の透明部分または半透明部分が各透光センサ３２に到達したことをもって繰出ベルト２２による紙幣の繰り出しが一旦停止することはなくなる。
【００６１】
設定部５４によりマスキングモードを適用するか否かの設定を行うことができるようになっている場合において、マスキング時間は、紙幣繰出機構１３により繰り出されるべき紙幣における繰出方向の長さを、紙幣の搬送速度で割り算したときの大きさに基づいて算出されるようになっていることが好ましい。より詳細には、第３の種類の紙幣としては、例えばカナダドル紙幣が挙げられるが、カナダドル紙幣では、全ての金種において紙幣の札長（図５における左右方向の長さ）が同一となっているため、マスキング時間も紙幣の金種によらず一定となる。
【００６２】
なお、本実施の形態の紙幣繰出機構１３および紙幣繰出方法においては、必ずしもマスキングモードを設ける必要はない。繰り出しの対象となる紙幣が図５（ａ）に示すような第１の種類の紙幣および図５（ｂ）に示すような第２の種類の紙幣のみである場合には、マスキングモードを設けなくても、搬送部２０の搬送路２１の幅方向に沿って設けられた複数の透光センサ３２により紙幣の検出を適切に行うことができる。一方、図５（ｃ）に示すような、透明部分または半透明部分が、当該紙幣の搬送方向における幅方向（図５における上下方向）の大部分の領域を占めるようになっている第３の種類の紙幣を繰り出しの対象とする可能性がある場合には、マスキングモードを適用するか否かを設定することができるようにすることが好ましい。
【００６３】
なお、本実施の形態の紙幣繰出機構１３および紙幣繰出方法は、上記の態様に限定されるものではなく、様々の変更を加えることができる。
【００６４】
例えば、搬送部２０の搬送路２１に設置される透光センサ３２の数は、４つに限定されることはない。透光センサ３２の数は、２つ以上であれば任意の数とすることができる。
【００６５】
また、設定部５４においてマスキングモードを適用するか否かの設定を行うにあたり、入力部５２により制御部５０に入力された紙幣の種類に基づいてマスキングモードを適用するか否かの設定が行われることに限定されることはない。例えば、紙幣処理装置１０の設置時に、マスキングモードを適用するか否かの設定が予め行われるようになっていてもよい。また、紙幣繰出機構１３により繰り出されるべき紙幣の種類を認識する紙幣種類認識部（図示せず）が設けられており、この紙幣種類認識部により認識された紙幣の種類に基づいて、設定部５４においてマスキングモードを適用するか否かの設定が行われるようになっていてもよい。また、紙幣繰出機構１３から繰り出された１枚目の紙幣が識別部２８により識別されたときに、当該紙幣の種類も検出され、検出された紙幣の種類に基づいて、設定部５４においてマスキングモードを適用するか否かの設定が行われるようになっていてもよい。
【００６６】
また、繰出ベルト２２と各透光センサ３２との間に、繰出ベルト２２により繰り出された紙幣の繰出方向における長さを検出する紙幣長さ検出部（図示せず）が設けられていてもよい。この場合には、設定部５４によりマスキングモードを適用するか否かの設定を行うことができるようになっているときに、マスキング時間は、紙幣長さ検出部により検出された紙幣の長さを、紙幣の搬送速度で割り算したときの大きさに基づいて算出されるようになっていてもよい。
【００６７】
なお、本発明による紙葉類繰出機構および紙葉類繰出方法は、紙葉類の繰り出しを行うものであり、紙葉類は必ずしも紙幣に限定されることはない。本発明による紙葉類繰出機構および紙葉類繰出方法において繰り出される紙葉類は、例えば小切手、商品券等の紙幣以外の様々な種類の紙葉類であってもよい。
【符号の説明】
【００６８】
１０  紙幣処理装置
１０ａ  筐体
１２  入金部
１２ａ  入金部カバー
１３  紙幣繰出機構
１４  出金部
１４ａ  出金部シャッタ
１６  収納部
１８  回収カセット
２０  搬送部
２１  搬送路
２２  繰出ベルト
２４、２６  搬送ベルト
２８  識別部
３２  透光センサ
５０  制御部
５２  入力部
５４  設定部
８０  紙幣繰出機構
８２  繰出ベルト
８４、８６  搬送ベルト
８８  識別部
９０  搬送部
９１  搬送路
９２  透光センサ
【図１】
2013191083.tif 000003
【図２】
2013191083.tif 000004
【図３】
2013191083.tif 000005
【図４】
2013191083.tif 000006
【図５】
2013191083.tif 000007
【図６】
2013191083.tif 000008
【図７】
2013191083.tif 000009
【図８】
2013191083.tif 000010
【図９】
2013191083.tif 000011
【図１０Ａ】
2013191083.tif 000012
【図１０Ｂ】
2013191083.tif 000013
【図１０Ｃ】
2013191083.tif 000014
【図１１】
2013191083.tif 000015
【図１２】
2013191083.tif 000016
【図１３】
2013191083.tif 000017
【図１４】
2013191083.tif 000018